(57)【要約】【課題】  料金収受端末装置の筐体分割において、前面側は水平分割し、後部側では水平分割ラインに対して垂直分割したＬ字型分割ラインに基づいて上部・下部筐体に分割することにより、料金収受端末装置を手前に引き出さなくとも上部筐体を開くことができ、保守性及び安全性にすぐれた料金収受端末装置を提供する。【解決手段】  筺体分割ラインは、下部筐体２０の天板と上部筐体１０の底部を分割する水平分割ライン３０Ａと、水平分割ライン３０Ａに対してＬ字になるように上に向かって垂直に設けられた垂直分割ライン３０ＢからなるＬ字型分割ラインを形成する。この垂直分割ライン３０Ｂの上部終端は、分割された上部筐体１０と下部筐体２０をヒンジなどの連結部材８で連結される。この際、軸から上部筐体１０の最も高い位置までの長さＤ１は、軸から下部筐体２０の背面までの長さＤ２以下になるように構成する。【選択図】  図１
2006155407.tif 000002
【特許請求の範囲】
【請求項１】
Ｌ字状の箱体をなす下部筐体と、
この下部筐体の箱体を構成する側板に接して配置されたカバーからなる上部筐体と、
前記上部筐体の背面側上部と、固定配置される前記下部筐体の天板とが接する線上を回動軸として、前記上部筐体を前記下部筐体に回動可能に連結する連結部材と、
前記上部筐体を回動したとき所定の位置で停止させるためのストッパーと
を備え、前記上部筐体は、前記軸から垂直方向に当該上部筐体の最も高い位置までの第1の長さが、この軸から水平方向に前記下部筐体の背面までの第２の長さ以下になるように構成したことを特徴とする料金収受端末装置。
【請求項２】
前記ストッパーは、
前記上部筐体を当該連結部材を軸にして所定の位置まで持ち上げて回動した後、手前に戻すと回動を停止する自動ロック機能と、
この自動ロック機能によって自動ロックされた状態を解除するロック解除スイッチと
を備え、操作員が前記上部筐体を所定の位置まで回動して停止することにより自然落下を防止し、かつ、前記ロック解除スイッチを押下することにより所定の位置で停止している前記上部筐体を元の位置に戻せるようにしたことを特徴とする請求項１記載の料金収受端末装置。
【請求項３】
利用者との料金収受業務を行うための表示部が分割配置された上部筐体と、
調整、保守時に調整、保守を必要とする制御部が分割配置され、背面側上部が当該装置筐体の上面で前記上部筐体と境部をなす下部筐体と、
当該装置筐体の上面の前記境部を回動軸とし、前記上部筐体を前記下部筐体に対して回動可能に連結する連結部材と
を備えたことを特徴とする料金収受端末装置。
【発明の詳細な説明】
【技術分野】
【０００１】
本発明は、高速道路などの有料道路に設置される有料道路料金収受システムの料金収受端末装置に関する。
【背景技術】
【０００２】
図５に有料道路に設置される有料道路料金収受システムの料金収受端末装置１００を示す。この料金収受端末装置１００は、出口車線の料金所ブース内に設けられた机などの設置卓１３０の上に設置、運用される（図５（１）参照）。
【０００３】
料金収受端末装置１００は、カード処理部１０７、領収書発行部１０６など比較的重量のあるユニットを下部筐体１２０に収納し、主制御部１０４、操作部１０２、表示部１０３、電源１０５などが上部筐体１１０に収納されている（例えば、特許文献１参照。）。料金所ブースは車線と車線の間に設けられるため、設置スペースが限られており、料金収受端末装置の背面を含む周囲に余分な空間が設けられていない。操作員は、この料金所ブース内から料金収受端末装置１００を操作して車両の利用者との間で料金の収受業務を行う。従って、料金収受端末装置１００の保守時には、電気的調整・確認などを行うため、料金収受端末装置１００内部に配置された主制御部１０４にアクセスする必要があり、この際には上部筐体１１０を開く必要がある。
【０００４】
図５（１）〜図５（３）を参照して料金収受端末装置１００の上部筐体１１０を開く場合の操作を説明する。図５（１）は、設置卓１３０の上に料金所ブース壁１４０に接近した状態で料金収受端末装置１００が設置されている状態で、通常の利用形態である。
【０００５】
図５（２）は、保守のために料金収受端末装置１００の内部にアクセスするため、表示部１０３を折りたたみ、さらに料金収受端末装置１００を手前に引き出した状態を示す図である。このように、料金収受端末装置１００を図示矢印で示すように手前に引き出す必要があるのは、上部筐体１１０を開いたとき、上部筐体１１０の後部が料金所ブース壁１４０に接触して開かないため、事前に上部筐体１１０の高さに相当する距離だけ手前に引き出す必要がある。料金所ブースが狭く、設置卓の奥行きが短いと図示したように料金収受端末装置１００が設置卓からはみ出して安全性が損なわれる場合があり問題となっていた。
【０００６】
図５（３）は、料金収受端末装置１００の内部にアクセスするために、上部筐体１１０を開いた状態を示す図である。
【０００７】
このように構成された料金収受端末装置の保守を行う場合のために、従来の料金収受端末装置には、下部筐体に収納されている両方のユニットを同時に引き出すと重心が手前に大きく移動して安全性を損なうため、何れか一方のユニットのみ手前に引き出せる方法が知られている（例えば、特許文献１参照。）。
【特許文献１】特開平８−４４９３１号公報  （第１−３頁、図１、図７）
【発明の開示】
【発明が解決しようとする課題】
【０００８】
しかしながら、特許文献１記載の料金収受端末装置は、上部筐体と下部筐体の略中央部を上下に水平分割して、かつ、筺体の上部が筺体の略中央の背面側に設けられた回動可能なヒンジ１０８を軸として回動するため、上部筐体を開く際に上部筐体が背面側にせり出す形（上部筐体の突出）になる（図５（３）参照）。筺体の背面を奥の壁に接した状態で設置した場合は、背面の壁にぶつかり開くことができないため、料金収受端末装置内部にアクセスできないという問題があった。このため、従来から、料金収受端末装置内部にアクセスする際には、まず料金収受端末装置全体を手前に引き出す作業を行っていた（図５（２）参照）。しかし、料金収受端末装置の質量が４５ｋｇ程度になることから。手前に引き出す作業がスムーズな保守作業の妨げになるという問題があった。
【０００９】
さらに、手前に引き出すと料金収受端末装置が設置卓から手前側に突出する形となり、保守時の安全性が損なわれるという問題があった。
【００１０】
本発明は、上記問題を解決するためになされたもので、料金収受端末装置の筐体分割において、上部筐体の上面位置に回動可能なヒンジを設け、上部筐体を分割回動することにすることによって、料金収受端末装置を手前に引き出さなくとも上部筐体を開くことができるため、保守性及び安全性にすぐれた料金収受端末装置を提供する。
【課題を解決するための手段】
【００１１】
上記目的を達成するために、本発明の請求項１記載の料金収受端末装置は、Ｌ字状の箱体をなす下部筐体と、この下部筐体の箱体を構成する側板に接して配置されたカバーからなる上部筐体と、前記上部筐体の背面側上部と、固定配置される前記下部筐体の天板とが接する線上を回動軸として、前記上部筐体を前記下部筐体に回動可能に連結する連結部材と、前記上部筐体を回動したとき所定の位置で停止させるためのストッパーとを備え、前記上部筐体は、前記軸から垂直方向に当該上部筐体の最も高い位置までの第1の長さが、この軸から水平方向に前記下部筐体の背面までの第２の長さ以下になるように構成したことを特徴とする。
【発明の効果】
【００１２】
本発明によれば、料金収受端末装置の筐体分割において、料金収受端末装置の筐体上面の連結部材によって分割することができるため、料金収受端末装置を手前に引き出さなくとも上部筐体を開くことができるため、保守性及び安全性にすぐれた料金収受端末装置を提供することができる。
【発明を実施するための最良の形態】
【００１３】
以下、図面を参照して本発明の実施例を説明する。
【実施例１】
【００１４】
図１は、本発明の実施例１による料金収受端末装置（以下、装置と称する。）１の外観図である。図１（１）は操作側から見た正面図で、図１（２）は右側面図である。この装置１は、上部筐体１０と下部筐体２０で構成されている。
【００１５】
上部筺体には操作部２、表示部３が設けられており、下部筐体２０には主制御部４、電源部５、領収書発行部６、カード処理部７、が設けられている。
【００１６】
操作部２には、操作員が料金収受の際に操作するキーボードが配置されている。表示部３には、料金収受に伴う車種情報、利用料金、障害などが表示される。主制御部４は、装置全体を制御するＣＰＵを有する制御基板で構成され、下部筐体１０に内蔵されている。電源部５は、装置１が稼動するために必要な電源を供給する。領収書発行部６は、プリンタを有し領収書を発行する。カード処理部７は、プリペードカード挿入／排出口を有し、プリペードカードから利用料金の収受を行う。
【００１７】
下部筐体２０と上部筐体１０の分割ラインは、装置の前面側では筺体上下の略中央を上下に水平分割し、装置の後部ではこの水平分割ラインに対して上側に垂直となる垂直分割ラインによるＬ字型分割となる。したがって、下部筐体２０は、Ｌ字状の箱体を形成し、上部筐体１０は、下部筐体２０の箱体を形成する側板に接して配置されたカバーを形成する。上記垂直分割ラインが上部筐体１０天板（当該装置１筐体上面）と接する線上（境部）を回動軸として上部筐体１０を回動可能に下部筐体２０に連結するヒンジなどの連結部材８が設けられている。
【００１８】
また、上部筐体１０を回動したとき、所定の位置で止めるためのストッパー９が設けられている。そのため、操作員はこの連結部材８を支点として上部筐体１０が停止するまで回動させることができる。
【００１９】
図２は、本発明の実施例による装置１の筐体分割ライン３０を説明する図である。図２（１）は操作側から見た正面図で、図２（２）は、右側面図である。
【００２０】
筺体分割ライン３０は、下部筐体２０の天板と上部筐体１０の底部を分割する水平分割ライン３０Ａと、この水平分割ライン３０Ａの後部に、所定の奥行きＤ２を残して水平分割ライン３０Ａに対してＬ字になるように上に向かって垂直に設けられた垂直分割ライン３０Ｂからなる。すなわちＬ字型分割ラインを形成する。
【００２１】
この垂直分割ライン３０Ｂの上部終端は、分割された上部筐体１０と下部筐体２０をヒンジなどの回動可能な連結部材８で連結される。この際、軸から垂直方向に上部筐体１０の最も高い位置までの長さ（第１の長さ）Ｄ１は、軸から水平方向に下部筐体２０の背面までの長さ（第２の長さ）Ｄ２以下になるように構成されている必要がある。すなわち、下式（１）を満たす必要がある。  
Ｄ１≦Ｄ２・・・・・・（１）
Ｄ１：軸から垂直方向に上部筐体１０の最も高い位置までの長さ（第１の長さ）
Ｄ２：軸から水平方向に下部筐体２０の背面までの長さ（第２の長さ）
以上の条件を満たす連結によって、上部筐体１０が連結部材８を軸として所定の位置で停止するまで回動する（開く）ことができる。以上の条件を満たさない場合、上部筐体１０を回動すると、上部筐体１０の天板部分が下部筐体２０の背面より後ろ側に突出する場合がある。
【００２２】
ストッパー９は、上部筐体１０を所定の位置で停止するまで持ち上げて回動した後（開ききった後）、手前に戻すと自動ロックが働き、自然落下を防止する。この自動ロック状態になると、上部筐体１０は止まっており、持ち上げた手を離しても落下することがなく、例えば主制御部４にアクセスし、電気調整・確認などを行うことができる。
【００２３】
上述した上部筐体１０が自動ロックした状態を解除するには、ストッパー９に設けられたロック解除スイッチ９Ａを押した後、上部筐体１０を所定の停止位置まで持ち上げて回動した後（再度、開ききった後）、手前に倒すと閉じることが可能になる。すなわち、ロック解除スイッチ９Ａを押下することにより所定の位置で停止している前記上部筐体１０を元の位置に戻すことができる。
【００２４】
図３は、保守時など、装置１の上部筐体１０を持ち上げて装置１の内部にアクセスする場合の操作を示す図である。図３（１）は、料金所ブース壁４０に接近して設置卓３０の上に装置１が設置されている状態で、通常の利用形態である。
【００２５】
図３（２）は、保守のために装置１の内部にアクセスするため、表示部３を折りたたんだ状態を示す図である。
【００２６】
図３（３）は、装置１の内部にアクセスするために、上部筐体１０を回動し、ストッパー９によって自動ロックして停止した状態（上部筐体１０が開いた状態）を示す図である。上部筐体１０を開くことによって、主制御部４が露出し、必要な保守作業を行うことができる。本実施例１では、従来の装置のように上部筐体１０を開く際に装置１を手前に引き出す操作をしなくとも下部筐体２０内部にアクセス可能なため保守性及び安全性に優れた装置になる。
【実施例２】
【００２７】
図４は、本発明の実施例２による料金収受端末装置（以下、装置と称する。）１の外観図である。図４（１）は操作側から見た正面図で、図４（２）は右側面図である。この装置１は、上部筐体１０と下部筐体２０で構成されており、分割ライン３０Ｃが異なっているが、その他の部分は実施例１と同じであるため、同一部分には同一符号を付けてその説明を省略する。
【００２８】
本実施例２では、上部筐体１０と下部筐体２０を分割する分割ライン３０Ｃが上部筐体１０の下部から装置１の筐体上面に向かって斜めに設けられている。
【００２９】
上記実施例１では、筐体分割ラインを上下に水平分割し、かつ、これと垂直な垂直分割になっており、これについて説明したが、これに限定されることなく本実施例２のように装置１の筐体上面に上部筐体１０と下部筐２０との回動軸を設ける構成にすることにより、実施例１同様の効果を奏することができる。
【図面の簡単な説明】
【００３０】
【図１】本発明の実施例１による料金収受端末装置の外観図。
【図２】図１に示す料金収受端末装置の筐体分割ラインを説明する図。
【図３】図１に示す料金収受端末装置の上部筐体を持ち上げて装置内部にアクセスする場合の操作を説明する図。
【図４】本発明の実施例２による料金収受端末装置の外観図。
【図５】従来の料金収受端末装置の上部筐体を持ち上げて装置内部にアクセスする場合の操作を説明する図。
【符号の説明】
【００３１】
１  料金収受端末装置
２  操作部
３  表示部
４  主制御部
５  電源部
６  領収書発行部
７  カード処理部
８  連結部材
９  ストッパー
９Ａ  ロック解除スイッチ
１０  上部筐体
２０  下部筐体
３０  筐体分割ライン
３０Ａ  水平分割ライン
３０Ｂ  垂直分割ライン
【図１】
2006155407.tif 000003
【図２】
2006155407.tif 000004
【図３】
2006155407.tif 000005
【図４】
2006155407.tif 000006
【図５】
2006155407.tif 000007